【手続補正書】
【提出日】令和3年5月13日(2021.5.13)
【手続補正１】
【補正対象書類名】特許請求の範囲
【補正対象項目名】全文
【補正方法】変更
【補正の内容】
【特許請求の範囲】
【請求項１】
電気齧歯動物捕獲装置であって、
少なくとも１つの捕獲装置進入口を有し、前記捕獲装置進入口から反対端まで長手方向に延びる捕獲装置本体と、
前記捕獲装置本体内で動作可能な高電圧殺傷回路と、を備え、前記殺傷回路が、実質的に相互に平行関係にあり、前記捕獲装置本体内に長手方向に延びる少なくとも部分を有する少なくとも２つの逆帯電した下方殺傷プレートであって、前記逆帯電した下方殺傷プレートが、前記下方プレート間の長手方向に延びる間隙によって互いから離間される、少なくとも２つの逆帯電した下方の殺傷プレートと、前記２つのプレートより上に位置付けられるトリガプレートであって、齧歯動物が前記トリガプレートに到達し得る前に前記捕獲装置に進入しなければならないように前記進入口から内側に離間される、トリガプレートと、を含む複数のプレートを含み、前記高電圧殺傷回路が、前記齧歯動物が前記下方プレートおよび前記トリガプレートの両方と同時に接触しているときにのみ、少なくとも前記２つの下方殺傷プレートを活性化し、前記齧歯動物を殺処理するようにトリガされる、電気齧歯動物捕獲装置。
【請求項２】
前記トリガプレートが、前記捕獲装置本体の天井に隣接しており、前記下方殺傷プレートと同時に活性化される帯電したプレートである、請求項１に記載の電気齧歯動物捕獲装置。
【請求項３】
前記トリガプレートが、前記捕獲装置本体内へ下方に延びる中央バッフルの部分であり、前記中央バッフルが、エサを受容するための中空内部を有し、前記エサが前記齧歯動物によって盗まれることを防ぎながら前記エサからの香りを前記捕獲装置本体の内部全体にわたって広げることを可能にするために通気される、請求項２に記載の電気齧歯動物捕獲装置。
【請求項４】
前記進入口に隣接する入口バッフルをさらに備え、前記入口バッフルが、入ってくる齧歯動物を前記下方殺傷プレートの方へ強制的に向かわせ、前記齧歯動物が前記捕獲装置から出ることを防ぐために、高さ制限を作り出す、請求項１に記載の電気齧歯動物捕獲装置。
【請求項５】
前記捕獲装置本体が、２つの進入口を有し、両端にある進入口が、齧歯動物が一方の進入口から他方まで前記捕獲装置を長手方向に見通すことを可能にするトンネルを作成するために、対向関係にある、請求項１に記載の電気齧歯動物捕獲装置。
【請求項６】
前記少なくとも２つの逆帯電した下方殺傷プレートが、高くなったトラック上に置かれて前記捕獲装置本体の床より上に上昇され、前記高くなったトラックが、前記下方プレートを分離する前記長手方向に延びる間隙を形成する溝によって分離される、請求項１に記載の電気齧歯動物捕獲装置。
【請求項７】
前記下方殺傷プレートが、前記高くなったトラック上で実質的に平らである平坦部、および前記平坦部に対して実質的に垂直である上向きの屈曲部を含み、前記屈曲部が、前記中央溝に隣接し、そこと実質的に平行に伸びる、請求項６に記載の電気齧歯動物捕獲装置。
【請求項８】
前記捕獲装置本体が、２つの進入口を有し、両端にある進入口が、齧歯動物が一方の進入口から他方まで前記捕獲装置を長手方向に見通すことを可能にするトンネルを作成するために、対向関係にある、請求項７に記載の電気齧歯動物捕獲装置。
【請求項９】
各進入口に隣接する入口バッフルをさらに備え、各入口バッフルが、入ってくる齧歯動物を強制的に前記下方殺傷プレートへ向かわせ、前記下方殺傷プレートの前記屈曲部と接触させるために、高さ制限を作り出す、請求項８に記載の電気齧歯動物捕獲装置。
【請求項１０】
電気齧歯動物捕獲装置であって、
対向する捕獲装置進入口、および殺傷室を画定するために、対向する長手方向の側壁の間、前記捕獲装置進入口の間に、長手方向に延びる床を有する捕獲装置本体と、
前記捕獲装置本体内で動作可能な高電圧殺傷回路であって、前記殺傷回路が、前記長手方向に延びる床に沿って相互に実質的な平行関係にある、隣接する前記捕獲装置進入口から延びる少なくとも部分を有する少なくとも一対の逆帯電した下方殺傷プレートを含む複数のプレートを含み、前記一対の下方殺傷プレートの少なくとも前記長手方向に延びる部分が、前記プレート間の長手方向に延びる間隙によって相互に横方向に離間され、前記一対の殺傷プレートの前記長手方向に延びる部分が、左下方プレートおよび右下方プレートとして鉄道線路のように配置され、前記左右下方プレートが、前記長手方向に延びる間隙によって分離され、前記左右下方プレートの各々が、前記側壁のそれぞれに隣接する、高電圧殺傷回路と、
前記捕獲装置進入口のうちの１つを通じた前記捕獲装置への進入時に、前記右下方プレートに右前足でおよび前記左下方プレートに左前足で接触する齧歯動物の存在に反応するように前記捕獲装置の長手中央領域内に位置付けられる上昇されたトリガ要素と、を備え、
前記齧歯動物が、後足でのその後の接触を含め、両方の下方プレートと接触したままであり、前記齧歯動物が、前記捕獲装置を通って移動すると、前記トリガ要素は、前記齧歯動物が、左右の足で前記左右下方プレートそれぞれの上に立っている間に前記トリガ要素に接触するとき、少なくとも前記左右下方プレートを活性化し、齧歯動物を殺処理するように前記高電圧殺傷回路をトリガする、
ことを特徴とする電気齧歯動物捕獲装置。
【請求項１１】
前記左右下方プレートのうちの一方が、前記長手方向に延びる床の長さに実質的に延び、前記左右下方プレートのうちの他方が、前記捕獲装置本体内で互いから離間される２つのＬ字形状部を有し、前記２つのＬ字形状部は、前記高電圧殺傷回路において電気結合される請求項１０に記載の電気齧歯動物捕獲装置。
【請求項１２】
モジュラ電気齧歯動物捕獲装置であって、
基部および蓋を含む外部ハウジングであって、前記蓋が、前記捕獲装置が使用中のときは閉じられ、前記基部に対して固定される、外部ハウジングと、
前記蓋を開けることによって前記外部ハウジング基部内に受容されるように構成される取り外し可能なトンネルモジュールであって、前記トンネルモジュールが、捕獲装置基部およびカバーパネルを含み、前記捕獲装置基部およびカバーパネルが、外壁、天井、および少なくとも１つの捕獲装置進入口を伴う床を有する殺傷室を画定し、前記殺傷室の長手方向の長さが、前記捕獲装置進入口から反対端まで延びる、取り外し可能なトンネルモジュールと、
前記蓋を開けることによって前記外部ハウジング基部内に受容されるように構成される取り外し可能な電子装置モジュールであって、前記モジュラ電気齧歯動物捕獲装置が、前記蓋が閉じた状態の前記外部ハウジング基部内に位置付けられる前記トンネルモジュールおよび前記電子装置モジュールを用いて組み立てられるとき、前記電子装置モジュールが、前記トンネルモジュールと電気的係合状態にあり、前記電子装置モジュールが、前記電気的係合を通じて前記殺傷室内に位置付けられる複数の殺傷プレートと共に動作可能な高電圧回路であって、前記複数の殺傷プレートが、前記床に隣接して相互に実質的に平行な関係にある部分を有し、各プレートが、前記外壁のそれぞれに隣接して前記捕獲装置基部内で前記捕獲装置進入口から長手方向に延びる少なくとも部分を有し、前記逆帯電した殺傷プレートの少なくとも前記実質的に平行な部分が前記プレート間の溝によって互いから離間される、高電圧回路と、上昇されたトリガ要素であって、前記複数のプレートより上の離間された関係で位置付けられ、齧歯動物が、前記トリガ要素に到達し得る前に前記殺傷室に進入しなければならないように前記進入口ドアから内向きに離間され、前記高電圧殺傷回路が、前記齧歯動物が前記２つの逆帯電した殺傷プレートおよび前記上昇されたトリガ要素の両方と同時に接触しているときにのみ、少なくとも前記２つの逆帯電した殺傷プレートを活性化し、前記齧歯動物を殺処理するようにトリガされる、上昇されたトリガ要素とを含む、取り外し可能な電子装置モジュールと、を備え、
前記トンネルモジュールおよび前記電子装置モジュールが、前記外部ハウジングの前記蓋を開けることによって、別個に取り外し可能および交換可能である、モジュラ電気齧歯動物捕獲装置。
【請求項１３】
前記上昇されたトリガ要素が、前記天井に隣接する帯電したトリガプレートであり、前記帯電したトリガプレートが、前記２つの逆帯電した殺傷プレートと同時に活性化される、請求項１２に記載のモジュラ電気齧歯動物捕獲装置。
【請求項１４】
前記捕獲装置基部が、２つの進入口を有し、両端に進入口が、齧歯動物が一方の進入口から他方まで前記捕獲装置を長手方向に見通すことを可能にするトンネルを作成するために、対向関係にある、請求項１３に記載のモジュラ電気齧歯動物捕獲装置。
【請求項１５】
前記トリガプレートが、前記殺傷室の前記長手方向の長さに沿っておよそ真ん中で前記殺傷室内へ下方に延びる中央バッフルの部分であり、前記中央バッフルが、エサを受容するための中空内部を有し、前記エサが前記齧歯動物によって盗まれることを防ぎながら前記エサからの香りを前記殺傷室全体にわたって広げることを可能にするために通気される、請求項１４に記載のモジュラ電気齧歯動物捕獲装置。
【請求項１６】
前記溝の底が、前記床と対応し、前記複数のプレートが、高くなったトラック上に置かれて前記床よりも上に上昇される、請求項１２に記載のモジュラ電気齧歯動物捕獲装置。
【請求項１７】
各プレートが、前記高くなったトラック上で実質的に平らである平坦部、および前記平坦部に対して実質的に垂直である上向きの屈曲部を含み、前記屈曲部が、前記溝に隣接する、請求項１６に記載のモジュラ電気齧歯動物捕獲装置。
【請求項１８】
各進入口に隣接する入口バッフルをさらに備え、前記入口バッフルが、入ってくる齧歯動物を強制的に前記プレートに押し当て、前記プレートの前記屈曲部と接触させるため、および前記齧歯動物が前記捕獲装置から出ることを防ぐために、高さ制限を作り出す、請求項１７に記載のモジュラ電気齧歯動物捕獲装置。
【請求項１９】
前記モジュール間の前記電気的係合が、前記モジュールが前記外部ハウジング基部内で互いに隣接して位置付けられるとき、前記トンネルモジュールの外壁上の対応する接点との積極的な係合をもたらされる前記電子装置モジュールの外壁上の電気接点を含む、請求項１２に記載のモジュラ電気齧歯動物捕獲装置。
【請求項２０】
モジュラ電気齧歯動物捕獲装置であって、
外部ハウジングと、
前記外部ハウジング内に受容されるように構成される取り外し可能なトンネルモジュールであって、前記トンネルモジュールが、捕獲装置基部およびカバーパネルを含み、前記捕獲装置基部およびカバーパネルが、外壁、天井、および少なくとも１つの捕獲装置進入口を伴う床を有する殺傷室を画定し、前記殺傷室の長手方向の長さが、前記捕獲装置進入口から反対端まで延びる、取り外し可能なトンネルモジュールと、
前記外部ハウジング内に受容されるように構成される取り外し可能な電子装置モジュールであって、前記電子装置モジュールが、前記殺傷室内に位置付けられる複数の殺傷プレートと共に動作可能な高電圧回路であって、前記複数の殺傷プレートが、前記床に隣接して相互に実質的に平行の関係にある部分を有する少なくとも２つの逆帯電した殺傷プレートを含み、各プレートが、前記外壁のそれぞれに隣接して前記捕獲装置基部内に前記捕獲装置進入口から長手方向に延在する少なくとも一部分を有し、前記逆帯電した殺傷プレートの少なくとも前記実質的に平行の部分が、前記プレート間の溝によって互いから離間される、高電圧回路と、第３のトリガ要素であって、前記複数のプレートより上に位置付けられ、齧歯動物が前記トリガ要素に到達し得る前に前記殺傷室に進入しなければならないように、前記進入口ドアから内向きに離間され、前記トリガ要素との前記齧歯動物による接触が、前記プレートを活性化し、前記齧歯動物を殺処理するように前記高電圧殺傷回路をトリガする、第３のトリガ要素とを含む、取り外し可能な電子装置モジュールと、を備え、
前記電子装置モジュールが、マウス回路およびラット回路の両方に結合されるマイクロプロセッサを含み、前記外部ハウジングが、蓋を有し、前記蓋は、前記蓋が閉じられるまで前記高電圧回路の活性化を防ぐために安全スイッチを備え、前記安全スイッチが、前記マイクロプロセッサへのそれぞれの入力を各々が有する第１および第２の閉係合部を含み、前記第１の閉係合部の活性化が、前記ラット回路を活性化するように前記マイクロプロセッサに指示し、前記第２の閉係合部の活性化が、前記マウス回路を活性化するように前記マイクロプロセッサに指示し、以て、同じ電子装置モジュールが、前記安全スイッチからの入力を通じて前記電気齧歯動物捕獲装置のマウス捕獲装置バージョンおよびラット捕獲装置バージョンの両方を動作するために使用され得る、モジュラ電気齧歯動物捕獲装置。
【請求項２１】
モジュラ電気齧歯動物捕獲装置であって、
外部ハウジングと、
前記外部ハウジング内に受容されるように構成され、殺傷室を画定する取り外し可能なトンネルモジュールであって、前記殺傷室は、前記殺傷室の一端における進入口開口部から延び、前記殺傷室が、前記殺傷室内に位置付けられる複数の殺傷プレートおよびトリガ要素を有する、取り外し可能なトンネルモジュールと、
前記外部ハウジング内に受容されるように構成され、前記殺傷プレートに電力供給するように動作可能な高電圧回路を含む取り外し可能な電子装置モジュールと、を備え、
前記トンネルモジュールおよび前記電子装置モジュールが各々、前記モジュールが前記外部ハウジング内に位置付けられるとき相互に接合する電気接点を有する対向する壁を有し、その結果、前記高電圧回路が、前記殺傷室の内側の齧歯動物が前記殺傷プレートおよび前記トリガ要素に同時に接触するときに、前記殺傷プレートを活性化する、
モジュラ電気齧歯動物捕獲装置。
【請求項２２】
電気齧歯動物捕獲装置を動作させる方法であって、
少なくとも１つの進入口と、前記捕獲装置進入口に対して垂直の、長手方向に延び、鉄道線路のように相互に実質的に平行の関係にある部分を有する少なくとも第１および第２の逆帯電した下方プレートに、および前記下方プレートより上の上昇された位置に配置され、前記進入口の内側に位置付けられるトリガ要素に結合される高電圧殺傷回路とを有する捕獲装置本体を提供するステップと、
前記捕獲装置に電力供給することによって前記捕獲装置をアクティブスタンバイモードにするステップと、
前記捕獲装置が、齧歯動物が前記捕獲装置進入口を通って前記捕獲装置に進入し、左足のうちの少なくとも一方で前記第１の下方プレートに、右足のうちの少なくとも一方で第２の下方プレートに接触するが、前記トリガ要素には接触しないときにはアクティブスタンバイモードに留まるステップと、
前記捕獲装置が、齧歯動物が前記第１および第２の下方プレートと接触しながら、前記上昇されたトリガ要素に触れるときにのみ、高電圧パルストレインを前記第１および第２の下方プレートに送達するために前記高電圧殺傷回路を自動的に活性化するステップと、
前記捕獲装置が、殺傷サイクルを規定する指定の時間期間後に電流フローを終了するステップと、
前記捕獲装置が、前記第１および第２の下方プレートにわたる継続した抵抗をチェックすることによって殺傷検証を実施するステップと、
抵抗が前記第１および第２の下方プレートにわたって残っているという検出に応答して、捕獲装置点検が必要とされるという通知を遠隔監視ユニットに送信するステップと、
を含む、方法。